(57)【要約】【課題】録画予約に際して、利便性や使い勝手に優れた録画装置を提供すること。【解決手段】録画装置において、放送信号を受信する受信手段と、受信された現在放送中の放送データまたは記録手段に既に録画されて再生中の放送データから、所定の放送データを選択する選択手段と、この選択された放送データに情報を付加する付加手段と、この付加情報を用いて録画予約に必要な情報を取得する取得手段と、この取得した情報を用いて録画予約する予約手段と、この録画予約した情報から録画する録画手段とを、備える。【選択図】　　図１
2004120408.tif 000002
【特許請求の範囲】
【請求項１】
放送信号を受信する受信手段と、受信された現在放送中の放送データまたは記録手段に既に録画されて再生中の放送データから、所定の放送データを選択する選択手段と、この選択された放送データに情報を付加する付加手段と、この付加情報を用いて録画予約に必要な情報を取得する取得手段と、この取得した情報を用いて録画予約する予約手段と、この録画予約した情報から録画する録画手段とを、備えたことを特徴とする録画装置。
【請求項２】
放送信号を受信する受信手段と、受信された現在放送中の放送データまたは記録手段に既に録画されて再生中の放送データから、所定の放送データを選択する選択手段と、受信された放送データまたは記憶手段に録画された放送データから情報を抽出する抽出手段と、この抽出情報を用いて録画予約に必要な情報を取得する取得手段と、この取得した情報を用いて録画予約する予約手段と、この録画予約した情報から録画する録画手段とを、備えたことを特徴とする録画装置。
【請求項３】
請求項１または２に記載の録画装置において、
前記選択手段によって選択される前記放送データは、番組予告ＣＭデータであることを特徴とする録画装置。
【請求項４】
請求項３に記載の録画装置において、
前記番組予告ＣＭデータは、ユーザの手動操作で選択されることを特徴とする録画装置。
【請求項５】
請求項３に記載の録画装置において、
前記番組予告ＣＭデータは、録画した放送データからも自動的に検出選択されるようにしたことを特徴とする録画装置。
【請求項６】
請求項５に記載の録画装置において、
前記録画された放送データから自動的に検出選択される前記番組予告ＣＭデータは、録画された番組の放送データに含まれる全ての番組予告ＣＭデータであり、この全ての番組予告ＣＭデータに対応する録画予約を行うことを特徴とする録画装置。
【請求項７】
請求項１、３、４、５、６の何れか１項に記載の録画装置において、
前記付加手段によって付加される前記付加情報は、この付加情報を用いて関連情報を参照することによって録画予約に必要な情報を取得するためのものであることを特徴とする録画装置。
【請求項８】
請求項７に記載の録画装置において、
前記付加手段によって付加される前記付加情報は、前記選択された放送データの放送時間データであることを特徴とする録画装置。
【請求項９】
請求項７または８に記載の録画装置において、
前記付加情報を用いて参照する前記関連情報は、録画装置内のデータベースから取得可能なものであることを特徴とする録画装置。
【請求項１０】
請求項７または８に記載の録画装置において、
前記付加情報を用いて参照する前記関連情報は、インターネット上などから取得可能なものであることを特徴とする録画装置。
【請求項１１】
請求項７、８、９、１０の何れか１項に記載の録画装置において、
前記付加情報を用いて参照する前記関連情報には、過去の時間情報が含まれていることを特徴とする録画装置。
【請求項１２】
請求項２、３、４、５、６の何れか１項に記載の録画装置において、
前記抽出手段によって抽出される前記抽出情報は、この抽出情報を用いて別の関連情報を参照することによって録画予約に必要な情報を取得するためのものであることを特徴とする録画装置。
【請求項１３】
請求項１２に記載の録画装置において、
前記抽出情報は、放送局側で予め放送信号に付加された番組関連情報であることを特徴とする録画装置。
【請求項１４】
請求項１２または１３に記載の録画装置において、
前記抽出情報を用いて参照する前記別の関連情報は、録画装置内のデータベースから取得可能なものであることを特徴とする録画装置。
【請求項１５】
請求項１２または１３に記載の録画装置において、
前記抽出情報を用いて参照する前記別の関連情報は、インターネット上などから取得可能なものであることを特徴とする録画装置。
【請求項１６】
請求項１２、１３、１４、１５の何れか１項に記載の録画装置において、
前記抽出情報が参照する前記別の関連情報には、過去の時間情報が含まれていることを特徴とする録画装置。
【請求項１７】
請求項１ないし１６の何れか１項に記載の録画装置において、
前記録画予約した予約データが指し示す放送データが、既に前記記録手段に記録されている場合には、ユーザにこの旨を認知させるための表示を行うことを特徴とする録画装置。
【請求項１８】
請求項１ないし１６の何れか１項に記載の録画装置において、
前記録画予約した予約データが指し示す放送データが、既に前記記録手段に記録されている場合には、録画予約されると記録済みの放送データを検索することを特徴とする録画装置。
【請求項１９】
請求項１ないし１６の何れか１項に記載の録画装置において、
前記録画予約した予約データが指し示す放送データが、既に前記記録手段に記録されている場合には、録画予約されると記録済みの放送データを再生することを特徴とする録画装置。
【請求項２０】
請求項１ないし１９の何れか１項に記載の録画装置において、
前記記録手段に記録された放送データには、録画予約手法の種別に応じた付加情報が付加されることを特徴とする録画装置。
【請求項２１】
請求項２０に記載の録画装置において、
前記録画予約手法の種別に応じた前記付加情報に応じて、記録済みの放送データの自動削除が可能であることを特徴とする録画装置。
【請求項２２】
請求項１ないし１９の何れか１項に記載の録画装置において、
前記記録手段に記録された放送データには、その放送データの保持有効期限の情報、その放送データの番組を撮影した地域の情報、その放送データの番組に出演している人物の情報、その放送データの番組で紹介されている商品の情報、その放送データの番組の視聴率取得情報、のうちの少なくとも１つが付加されることを特徴とする録画装置。
【請求項２３】
請求項１ないし２２の何れか１項に記載の録画装置において、
前記記録手段は、各種リムーバブルメディア、ハードディスク、半導体メモリのうちの何れかであることを特徴とする録画装置。
【請求項２４】
受信された現在放送中の放送データまたは記録手段に既に録画されて再生中の放送データから、所定の放送データを選択するステップと、この選択された放送データに情報を付加するステップと、この付加情報を用いて録画予約に必要な情報を取得するステップと、この取得した情報を用いて録画予約するステップとを、有することを特徴とする録画方法。
【請求項２５】
受信された現在放送中の放送データまたは記録手段に既に録画されて再生中の放送データから、所定の放送データを選択するステップと、受信された放送データまたは記憶手段に録画された放送データから情報を抽出するステップと、この抽出情報を用いて録画予約に必要な情報を取得するステップと、この取得した情報を用いて録画予約するステップとを、有することを特徴とする録画方法。
【請求項２６】
請求項２４に記載の各ステップの処理または請求項２５に記載の各ステップの処理を、コンピュータに実行させるためのプログラムを記録したコンピュータ読み取り可能な記録媒体。
【発明の詳細な説明】
【０００１】
【発明の属する技術分野】
本発明は、録画装置および録画方法および記録媒体に係り、特に、番組予告ＣＭに関連する情報を用いて番組を録画予約するようにした技術に関するものである。
【０００２】
【従来の技術】
近年、複数のテレビ番組を録画予約するユーザが増え、テレビ番組の録画予約方法の簡素化が図られている。例えば、Ｇコード（録画予約用の最大８桁の数字で表される圧縮コード；商標）や、ＥＰＧ（Ｅｌｅｃｔｒｏｎｉｃ　Ｐｒｏｇｒａｍ　Ｇｕｉｄｅ）などを利用することにより、少ない操作で番組予約を行うことが可能となっている。
【０００３】
また、視聴中の番組予告映像を用いて録画予約する手法についての提案も知られており、これに関しては以下のような公知技術が挙げられる。
【０００４】
まず、特公平８−４３２７号公報には、放送中のテレビ番組予告映像に同期して送られてきた時間情報を用いて、簡単な操作で番組録画予約できるようにした技術が開示されている。
【０００５】
また、特開平５−２０７３８７号公報には、放送番組映像とそれに同期して送られてきた番組情報を蓄積し、放送番組映像と蓄積された番組情報を同時に呼び出すことで、蓄積された番組予告映像からも番組録画予約できるようにした技術が開示されている。
【０００６】
また、特開２００１−２４５２２９号公報には、放送信号に時間情報を同期せず、テレビ番組の放送終了後に放映される番組予告の暦日データから、予告されている番組の日時を予測し、録画予約するようにした技術が開示されている。　上記したような、放送番組映像に多重されて送信されてくる番組情報を利用して録画予約する従来技術の例について、図１０のブロック図を用いて説明する（なお、図１０の構成は、上記した公報に記載された構成とは異なるものとなっている）。
【０００７】
図１０に示す構成においては、放送局４１からの放送信号を受信部４２で受信し、放送信号に多重されている番組情報を抽出部４５で抽出する。受信部４２で受信された放送データは、記録部４３を介し、蓄積メモリ４４に蓄積される。蓄積された放送データは、表示部５１からモニタ５２に表示される。抽出部４５で抽出された番組情報は、記憶保持部４６で保持され、入力部４８の予約ボタンが押された時、記憶保持部４６に保持されている抽出された番組情報を制御部４７に送るとともに、カウンタ４９から時間情報を取得し、予約部５０で番組情報と時間情報を元に番組予約をして、記録部４３を介して予約番組が蓄積メモリ４４に蓄積される。
【０００８】
【発明が解決しようとする課題】
しかしながら、特公平８−４３２７号公報および特開２００１−２４５２２９号公報に記載されている技術では、番組録画予約するための手段が、放送中の番組予告にしか対応しておらず、録画されたデータ内にある番組予告には対応していないという問題があった。なお、このような問題を、特開平５−２０７３８７号公報に記載された技術では、番組予告映像を蓄積することによって対応している。
【０００９】
また、特公平８−４３２７号公報および特開平５−２０７３８７号公報に記載された技術では、番組予告映像に同期して送られてくる番組情報を用いて録画予約を行っているので、番組予告映像に番組情報が同期されていない場合には、録画予約ができないという問題があった。さらに、特公平８−４３２７号公報では、番組情報は放送信号の垂直帰線期間に組み込むとしているが、帰線期間に組み込まれた情報は、現状では記録不可である。なぜなら、帰線期間は実質的には殆ど不要な区間であるため、規格上伝送または記録されないように規定されているからである。すなわち、垂直帰線期間に組み込まれた番組情報を伝送または記録しようとした場合、削除されてしまうのである。
【００１０】
また、特開２００１−２４５２２９号公報に記載されている技術では、番組予告映像に同期して送られてくる番組情報ではなく、番組予告映像の放送時間から次回放送時間を推測して録画予約するようにしており、野球中継の延長や特別番組がある場合などのことについては全く考慮されておらず、このため、急な番組変更や放送時間の変更、中止に対処できないという問題があった。
【００１１】
さらに、特開平５−２０７３８７号公報に記載された技術は、蓄積された番組予告映像を利用して録画予約の操作を行うことを可能にしたものではあるが、蓄積されている番組予告映像が指し示す番組が、既に放送済みの場合には対応できていないという問題があった。
【００１２】
また、前記した公報に記載された技術には、録画予約され蓄積された録画データから、任意の番組予告映像が指し示す録画データを検索し、再生するという機能や手法についての開示はない。したがって、録画予約したデータから任意のデータを探し出し再生する場合、１つずつ再生して探さなければならないので、大変手間がかかるという問題があった。
【００１３】
また、前記した公報に記載された技術には、放送信号に番組情報が同期していない場合、データベースやインターネットなどから必要な情報を取得し、取得した情報を元に録画予約するという機能や手法についての開示もない。
【００１４】
その上、前記した公報に記載された技術には、記録媒体などに既に蓄積されている放送データ内にある番組予告ＣＭから、自動予約するような機能や手法についての開示もない。
【００１５】
したがって、前記した公報に記載された従来技術においては、利便性や使い勝手の点で、未だ改善すべき問題をもつものとなっていた。
【００１６】
【課題を解決するための手段】
本願は、上述したような課題を解決するためになされたものであり、本願による代表的な１つの発明では、録画装置において、放送信号を受信する受信手段と、受信された現在放送中の放送データまたは記録手段に既に録画されて再生中の放送データから、所定の放送データを選択する選択手段と、この選択された放送データに情報を付加する付加手段と、この付加情報を用いて録画予約に必要な情報を取得する取得手段と、この取得した情報を用いて録画予約する予約手段と、この録画予約した情報から録画する録画手段とを、備えた構成をとる。
【００１７】
また、本願による代表的な他の１つの発明では、録画装置において、放送信号を受信する受信手段と、受信された現在放送中の放送データまたは記録手段に既に録画されて再生中の放送データから、所定の放送データを選択する選択手段と、受信された放送データまたは記憶手段に録画された放送データから情報を抽出する抽出手段と、この抽出情報を用いて録画予約に必要な情報を取得する取得手段と、この取得した情報を用いて録画予約する予約手段と、この録画予約した情報から録画する録画手段とを、備えた構成をとる。
【００１８】
【発明の実施の形態】
以下、本発明の実施の形態を、図面を参照して詳細に説明する。
【００１９】
なお、本願明細書でいう「番組予告ＣＭ」とは、番組予告がＣＭとして流れているものや、ドラマなどの番組中（一般的には最後）に、次回の予告として流れているものを指す（具体的には、例えば図５中の３３、３４、３５、３６のことである）。また、「番組情報」とは、番組の開始日時間、終了日時間、チャンネル番号を指す（図７参照）。
【００２０】
図１は、本発明の一実施形態に係る録画再生装置の構成を示すブロック図である。図１において、１は放送局、２は受信部、３は制御部、４は表示部、５は入力部、６はデータベース、７はインターネット、８は情報取得部、９は予約部、１０は記録部、１１は記録媒体、１２は呼び出し部、１３は検索部、１４は合成部、１５はモニタ、１６は抽出部、１７は音声部、１８はスピーカである。
【００２１】
図１に示す構成において、放送局１から放送された放送信号は受信部２で受信し、受信した放送信号は制御部３に送られ、放送信号の映像データは表示部４からモニタ１５に出力（表示）され、同様に、放送信号の音声データは音声部１７からスピーカ１８に出力される。なおここで、本願明細書においては、映像データと音声データなどを合せて、「放送データ」と呼ぶ。
【００２２】
表示された放送データ中の任意の（所望する）番組予告ＣＭを、ユーザが適宜の操作により選択（選択設定）すると、入力部５を介してユーザ操作が制御部３に伝えられ、制御部３にて、この選択された番組予告ＣＭの放送時間（受信時間）を保持して、この放送時間情報から、データベース６に格納されているＣＭ放送時間タイムテーブル表（図５）や番組関連情報（図６）を参照して、予告されている番組の番組情報（図７）を情報取得部８で取得したり、データベース６に格納されている番組関連情報（図６）を情報取得部８で取得し、取得情報からインターネット７を参照して、番組情報（図７）を情報取得部８で取得したり、また、直接インターネット７から、上記と同様に、番組情報を情報取得部８で取得する。
【００２３】
取得した番組情報は制御部３に送られ、予約部９で予約情報に変換され予約設定される。予約設定されると、予約設定したという情報が、制御部３の制御のもとに合成部１４で合成され、これにより、表示部４は予約設定したという文字或いはマークをモニタ１５に表示させる（図４参照）。そして、予約設定日時がくると、記録部１０により記録媒体１１に録画予約した放送番組データが記録される。
【００２４】
前記番組予告ＣＭの番組情報は、放送信号を受信部２で受信した際、制御部３で放送データにその受信時の時間（受信放送時間）を付加して保持し、その受信時の時間情報に基づき、ＣＭ放送時間タイムテーブル表（図５）などを参照し、取得する。また、番組情報の取得には、放送信号に予め付加多重されている番組関連情報（図６）を用いるようにしてもよい。
【００２５】
前記放送時間情報を元にして番組情報を取得する先は、データベースやインターネット等を例にあげているが、それ以外の情報が格納されている所でもよい。
【００２６】
次に、放送中の番組予告ＣＭから録画予約する場合において、予め放送信号に番組関連情報が付加されいた場合の録画予約手法を、図１を用いて説明する。
【００２７】
放送局１から放送された放送信号は受信部２で受信し、受信した放送信号から、この放送信号に付加されている番組関連情報を抽出部１６で抽出し、抽出した番組関連情報は制御部３に送られる。また、受信した放送信号は、制御部３から、放送信号の映像データは表示部４からモニタ１５に出力（表示）され、同様に、放送信号の音声データは音声部１７からスピーカ１８に出力される。
【００２８】
そして、表示された放送データ中の任意の番組予告ＣＭを、ユーザが選択（選択設定）すると、抽出部１６で抽出された番組関連情報から、データベース６に格納されているＣＭ放送時間タイムテーブル表（図５）や番組関連情報（図６）を参照して、予告されている番組の番組情報（図７）を情報取得部８で取得したり、データベース６に格納されている番組関連情報（図６）を情報取得部８で取得し、取得情報からインターネット７を参照して、番組情報（図７）を情報取得部８で取得したり、また、直接インターネット７から、上記と同様に、番組情報を情報取得部８で取得する。
【００２９】
この取得した番組情報は制御部３に送られ、予約部９で予約情報に変換され予約設定される。予約設定されると、予約設定したという情報が、制御部３の制御のもとに合成部１４で合成され、表示部４は予約設定したという文字或いはマークをモニタ１５に表示させる（図４参照）。そして、予約設定日時がくると、記録部１０により記録媒体１１に録画予約した放送番組データが記録される。
【００３０】
ここで、放送局からの放送信号がデジタル信号である場合には、図１の制御部３で映像データと音声データを各々デコードし、映像データは表示部４からモニタ１５に出力し、音声データは音声部１７からスピーカ１８に出力する。それ以外は、上述の説明と同様である。
【００３１】
なお、上述の番組放送データに番組関連情報を予め付加多重する手法としては、周波数の隙間に配置したり、ＭＰＥＧ等の映像ストリームに多重したり、ストリームを管理する管理情報に入れたり、または、専用のストリームを配置するなどの手法が考えられる。
【００３２】
また、上述の図１における記録媒体１１は、各種リムーバブルメディア、ハードディスク、半導体メモリ、ネットワーク上のストレージなど、データを記録できるものであれば任意のものが採用可能である。
【００３３】
また、前記抽出された番組関連情報を元にして番組情報を取得する先は、データベースやインターネット等を例にあげているが、それ以外の情報が格納されている所でもよい。
【００３４】
図２は、本実施形態において、放送中の番組予告ＣＭから録画予約する場合の処理フローを示すフローチャートである。
【００３５】
この場合、まず、放送局から番組信号を受信し（ステップＳ１）、画面に表示する（ステップＳ２）。次に、表示した放送番組中の予告やＣＭ中の番組予告ＣＭを選んでこれを録画予約するか否かを選択する（ステップＳ３）。録画予約しないを選択すると、処理を終了する。
【００３６】
録画予約するを選択した場合は、選択した番組予告ＣＭの放送信号に番組関連情報が付加されているかどうかを判定し（ステップＳ４）、放送信号に番組関連情報が付加されてない場合は、制御部３に保持してある選択された番組予告ＣＭの放送時間情報を元に、付属のデータベースまたはインターネット等から番組情報を取得する（ステップＳ６）。また、放送信号に予め番組関連情報等が付加されている場合は、付加情報を抽出し（ステップＳ５）、その抽出情報を用いて、付属のデータベースまたはインターネット等から番組情報等を取得し（ステップＳ６）、この取得した情報を元に録画予約設定をする（ステップＳ７）。
【００３７】
なお、上述したように、ユーザが任意の番組予告ＣＭを選択したり、録画予約設定する操作には、画面上にタッチパネル機能を備えたＴＶ、専用のコントローラ、ペン型入力機器、専用キーボード、専用予約ボタン等を使用するように、構成すればよい。
【００３８】
予約ボタンを用いた録画予約手法を、図４を用いて説明する。図４に示すように、モニタ１５上に番組予告ＣＭが表示（放送）された時、予約ボタン２１を押すと、上述したようなユーザ入力後の処理がなされ、予約完了した旨の表示２２が、モニタ１５上に行われる。
【００３９】
ここで、前記データベース６に格納されているデータは、ＣＭ放送時間タイムテーブル表（図５）のデータや、放送局または番組制作会社などの番組関連情報のデータであり、このデータベース中のデータを参照すると番組情報が取得できるものとなっている。
【００４０】
更にいえば、データベース６に格納するデータは、番組録画予約用に作成されたデータであるならば、なお望ましい。また、上記以外でも、同様の内容が取得できる情報ならば、それでもよい。
【００４１】
例えば、上記した内容が含まれる、インターネットのホームページへのリンクアドレスでもよい（図６参照）。その場合、図１に示す本実施形態の構成では、データーベース６内に格納されている、インターネットのホームページへのリンクアドレスを情報取得部８で取得し、そこからインターネット７でホームページを参照し、番組情報を情報取得部８で取得することになる。
【００４２】
また、データベース６に予め格納されているデータは、日時指定（例：毎週月曜日朝６：００）で定期的にインターネットから自動ダウンロードされたデータであったり、毎週店頭発売されているＣＤ−ＲＯＭ等からインストールしたものであったり、コンビニエンスストア等で記録媒体にダウンロードする常時購入可能なデータであり、記録媒体からデータベース６に格納するものであったりするものである。なお、常に新しい情報が格納できる手法であれば、上記した以外の格納手法であってもよいことは、いうまでもない。また、データベースを参照せずに、ＣＭ情報専用の放送や、記録媒体用のドライブなどから直接必要な情報を取得してもよい。
【００４３】
次に、本実施形態において、録画データ再生中の番組予告ＣＭから録画予約をする場合について図１を用いて説明する。
【００４４】
この場合には、記録媒体１１から任意の録画データを、呼び出し部１２で呼び出し（例えば、記録媒体１１内の録画データの一覧表示から任意の録画データを指定して呼び出し）、制御部３を介し表示部４からモニタ１５で再生中に所望する番組予告ＣＭが再生された場合には、ユーザは適宜の操作によりその番組予約ＣＭを選択（選択設定）する。これにより、録画データ中に録画時に付加されている録画時の時間情報を元に、制御部３を介してデータベース６に格納されているＣＭ放送時間タイムテーブル表（図５）や番組関連情報（図６）を参照して、予告されている番組の番組情報を情報取得部８で取得したり、また、インターネット７から上記と同様に番組情報を情報取得部８で取得したり、データベース６に格納されている番組関連情報（図６）などを参照し、情報取得部８で取得したデータを元にインターネット７などから番組情報を取得したりする。この取得した番組情報は制御部３に送られ、予約部９で予約情報に変換されて予約設定される。予約設定されると、予約設定したという情報が制御部３の制御のもとに合成部１４で合成され、これにより、表示部４は予約設定したという文字或いはマークをモニタ１５に表示させる。そして、予約設定日時がくると、記録部１０により記録媒体１１に録画予約した放送番組データが記録される。
【００４５】
なお、放送信号に番組関連情報（図６）等が予め付加され放送番組データと共に記録されていた場合には、録画データ中の番組関連情報からデータベース６やインターネット７を参照して、番組情報を情報取得部８で取得する。それ以後は、上述の動作と同様である。
【００４６】
また、このような録画データ再生中の番組予告ＣＭを用いた録画予約の場合にも、放送中の番組予告ＣＭを録画予約するのと同様、データベース６内に格納されている、インターネットのホームページへのリンクアドレスを情報取得部８で取得し、インターネット７でホームページを参照し、番組情報を情報取得部８で取得してもよい。
【００４７】
ここで、録画データ再生中の番組予告ＣＭを用いた録画予約の場合には、録画予約した番組が既に放送済みである場合が考えられる。このような場合には、つまり、取得した番組情報が、既に過ぎた（過去の）時間情報を含んでいた場合には、本実施形態では、予約部９で時間情報を判定し、既に過ぎた時間情報の予約情報を検索部１３に送る。また、このときのために、放送番組データを録画予約する際に、録画データに番組情報を付加する。このように、録画データに番組情報が付加されている場合には、上記の検索時に、その番組情報を検索すれば、予約情報から録画データを簡単に検索することが可能となる。
【００４８】
そして、記録媒体１１内に格納されている録画データの記録時間を検索して、合致するデータが検索された場合には、「録画予約を希望した番組は既に放送済みですが、番組は「ドラマ○○の３」として録画されています。」などの表示を行い、合致するデータが検索されなかった場合には、「録画予約を希望した番組は既に放送済みで、録画できません。」などの表示を行う。或いは、サーバ等などで、全て、又は多数の番組データを蓄積してあるところから、番組情報を元に検索し、任意の番組データをダウンロードしてもよい。
【００４９】
なお、このような、ユーザは失念しているが、既に放送済みである録画されているデータを再生する場合も、記録媒体１１内の録画データの一覧表示から所望の録画データを指定して呼び出し、制御部３から表示部４を介してモニタ１５で表示（再生）できるようにされていることは、いうまでもない。
【００５０】
図３は、本実施形態において、録画済みの番組予告ＣＭから録画予約する場合の処理フローを示すフローチャートである。
【００５１】
この場合は、録画済みデータを再生中（ステップＳ１１）に、任意の番組の番組予告ＣＭがある場合は、これを録画するか否かを選択する（ステップＳ１２）。録画しないを選択した場合は、処理を終了する。
【００５２】
録画予約するを選択した場合は、録画済みデータに番組関連情報が付加されているかどうかを判定し（ステップＳ１３）、番組関連情報が付加されていない場合には、放送データを録画予約する際に受信放送時間情報を放送データと共に記録してあるので、この受信放送時間から付属のデータベースまたはインターネット等を参照して、番組情報を取得する（ステップＳ１５）。また、予め放送信号に番組関連情報が付加されている場合は、付加されている番組関連情報を抽出し（ステップＳ１４）、その抽出情報を元に、付属のデータベースまたはインターネット等から番組情報等を取得する（ステップＳ１５）。次に、その番組情報から、放送予定時間が未来か過去かを判定する（ステップＳ１６）。未放送の番組だった場合は、取得した放送予定時間情報を元に、録画予約設定をする（ステップＳ１７）。一方、既に放送済みの番組だった場合は、記録媒体を検索し（ステップＳ１８）、該当する番組の録画データがあるかどうかを判定する（ステップＳ１９）。該当する番組の録画データが存在した場合は、「録画予約を希望した番組は既に放送済みですが、番組は「ドラマ○○の３」として録画されています。」などの表示を行い（ステップＳ２１）、その後、続けて再生するかどうかの選択表示をする（ステップＳ２２）。例えば、「現在再生中の番組データの再生完了後に、「ドラマ○○の３」を続けて再生しますか」などの表示（ステップＳ２２）を行って、ステップＳ１１に戻り、既に放送済みではあるが録画されている放送データを再生する。その後は上記と同様である。
【００５３】
このようにすれば、連続番組などを連続録画予約してある場合には、簡易な操作で連続再生を行わせることができる。
【００５４】
また、ステップＳ１９の処理で、該当する番組の録画データが存在しない場合は、「録画予約を希望した番組は既に放送済みで、録画できません。」などの表示を行う（ステップＳ２０）。或いは、サーバ等などで、全て、又は多数の番組データを蓄積してあるところから、番組情報を元に検索し、任意の番組データをダウンロードしてもよい。
【００５５】
なお、上述したステップＳ１９でＹｅｓ判定の対象となる、放送済みで記録媒体に記録されている放送番組データとは、ユーザが手動で録画予約したデータ、番組予告ＣＭから自動録画予約するシステムで既に録画されているデータ、週間録画予約やジャンル別録画予約などユーザが設定して連続的に録画してあるデータなどである。
【００５６】
また、放送中の番組予告ＣＭを全て自動録画予約したデータであってもよい。
【００５７】
さらに、録画済みデータを再生中に、ユーザが番組予告ＣＭを指定するタイミングが常に、再生している番組の最後であると想定される場合などには、上述したステップＳ１９でＹｅｓ判定されると、自動的に直ちに、検索された該当の番組の録画済みデータを再生させるようにしてもよい。このように、連続番組などを連続録画予約してある場合には、簡易な操作で連続再生を行わせることができる。
【００５８】
ここで、番組を録画予約して、あるいは、番組の放送中にユーザの手動操作により、その番組のデータを記録媒体に記録（録画）した場合、本実施形態の録画再生装置では、記録したデータ内にあるすべての番組予告ＣＭから、自動的に録画予約を行うことのできる機能も付加されており、この機能による自動録画予約のモードを設定した場合の動作について、次に説明する。
【００５９】
図９は、本実施形態において、記録媒体に録画されたデータ内にある全ての番組予告ＣＭから、自動的に予約を行う際の処理フローを示すフローチャートである。
【００６０】
記録媒体に録画予約等の手法により放送データが記録されると（ステップＳ３１）、録画した放送データに予め番組関連情報が付加されているかどうかを判定する（ステップＳ３２）。
【００６１】
録画した放送データに予め番組関連情報が付加されていない場合は、記録された放送データに前述したように共に記録されている番組放送時間情報（録画開始時間でもよい）と、番組放送時間情報を元にデータベースおよびインターネット等を参照して取得できるＣＭ放送時間タイムテーブル情報と、記録された放送データのデータ再生長（録画終了時間でもよい）とを取得し（ステップＳ３３）、これら取得情報を用いて、録画した放送データに含まれる番組予告ＣＭをすべて検出する（ステップＳ３４）。そして、検出された各番組予告ＣＭの番組情報を、前述したような手法で取得し（ステップＳ３５）、この取得した番組情報を用いて、すべての番組予告ＣＭに対応する番組の録画予約を設定する（ステップＳ３６）。これにより、設定された録画予約日時がくると、録画予約情報に基づき放送データが記録媒体に記録されることになる。
【００６２】
また、記録媒体に記録されている放送データに予め番組関連情報が付加されていて、この付加されている番組関連情報も放送データと共に記録されている場合には、番組関連情報を元に、録画した放送データに含まれる番組予告ＣＭをすべて検出する（ステップＳ３４）。そして、検出された各番組予告ＣＭの番組情報を、前述したような手法で取得し（ステップＳ３５）、この取得した番組情報を用いて、すべての番組予告ＣＭに対応する番組の録画予約を設定する（ステップＳ３６）。これにより、設定された録画予約日時がくると、録画予約情報に基づき放送データが記録媒体に記録されることになる。
【００６３】
ここで、上記ステップＳ３２の放送データに予め番組関連情報が付加されているかどうかを判定する処理は録画後に行っているが、放送データ受信時に番組関連情報が付加されているかどうかを判定する処理を行ってもよい。
【００６４】
また、放送データ受信時に判定処理を行う対象は、受信するすべての放送データであってもよい。
【００６５】
なお、上記のような、自動録画予約で録画されたデータには、ユーザが自ら設定して録画を行ったデータと区別できるように、フラグ、マーカーなどの付加情報を付加しておくようにする。また、記録媒体に記録されている、自動録画予約で録画された以外の放送番組データにも、記録方法の区別がつくように、異なるフラグまたはマーカーなどの付加情報を付加しておくようにする。更に、このような記録方法の区別が付けられる付加情報（フラグ、マーカーなど）に、優先順位を付けられるようにしてもよい。
【００６６】
このように、自動録画マーカーを付加するようにしておけば、記録媒体の容量が上限近くなったときにデータの削除を行う場合において、ユーザが指定して録画予約したり、手動で録画した録画データと区別がつくため、自動録画マーカー付きのデータから削除することが容易に可能となる。
【００６７】
また、上述の記録方法の区別が付くように、録画データに付加した付加情報（フラグまたはマークなど）にそれぞれ優先順位を付けることにより、優先順位の低いものから、記録媒体中のデータの自動削除を行うことも可能になる。例えば、記録媒体の記録済み容量がある一定の容量を超えると、自動録画マーカー付きデータの、時間情報が古い順から自動削除していく、などという削除手法を採ることができる。なお、記録方法別に付加した付加情報（フラグ、マーカーなど）の種類別に、優先順位を予め定めておくようにしてもよい。また、このような優先順位は、削除する際の順序決定以外の処理にも活用可能である。
【００６８】
例えば、予めユーザの好みの情報を設定しておき、その情報を元の重要度を算出する。ユーザが「ドラマを好む」と設定しておけば、「ニュース」より「ドラマ」の方の重要度を高くし、その中でも特に「サスペンスを好む」と設定しておけば、「家族ドラマ」よりも「サスペンス劇場」の重要度を高くするということである。
【００６９】
他にも、ユーザが視聴済みの録画データには、視聴済みの付加情報（フラグ、マーカーなど）を視聴時に付加し、優先順位を最下位に設定したり、ある録画データを再生中に途中で停止させた場合は、途中停止個所に停止付加情報（フラグ、マーカーなど）を付加したり、途中停止の付加情報（フラグ、マーカーなど）を録画データに付加し、優先順位を上位に設定したりしてもよい。
【００７０】
視聴済みの付加情報付きのデータは、記録媒体の空容量確保の為に自動削除する際、一番先に削除するようにできる。
【００７１】
また、途中停止付加情報付きのデータは、ユーザが録画データを視聴する為に再生してようとした時、録画データリストの最上位に表示し、途中まで再生したことをユーザに認識させたり、途中停止個所に付加した付加情報により、途中停止個所からの再再生が可能となる。
【００７２】
図８は、録画データの番組情報に、上述の記録方法別のマーカーを付加した例である。ここでは、番組予告ＣＭからの録画予約、手動録画予約、連続録画、ジャンル録画、自動録画で記録したデータに、それぞれ違うマーカー付加し、区別している。
【００７３】
この例によると、自動録画されたのは、「７４」、「７７」、「７９」、「８０」である。そこで、例えば、自動削除をする場合は、時間情報の古い「７４」、「７７」、「７９」、「８０」の順で削除される。
【００７４】
なお、複数のユーザが同じ番組に対して録画予約を行った場合は、実際に録画予約されるデータは１データのみで、各予約情報が実際に録画されたデータを各々参照するようにする。このように、１つの記録データを複数の予約情報が参照している場合は、被参照数と参照元情報を計上して各予約情報に保持させておく。そして、記録データを手動で削除する場合には、被参照数を参照し、自動録画データ以外の被参照数が０の場合のみ削除できるようにするようにしてもよい。
【００７５】
また、同じ番組の予告ＣＭが、複数の異なる番組データに含まれている場合、上記と同様に、同じ番組に対して複数の録画予約が行われることがある。その場合も上記同様に、実際に録画予約されるデータは１データのみで、各予約情報が実際に録画予約されたデータを各々参照するようにする。
一方、参照元の番組データを削除する場合は、被参照数を１ずつ減らす。被参照数が最後の１つだった場合は、参照先の自動録画データを一緒に削除してもよい。
【００７６】
ここで、上述してきた説明では、放送信号に予め付加しておく情報は、番組関連情報などとしているが、それに合わせて、その放送番組データを記録する場合のデータ保持有効期限、その放送番組を撮影した場所の地域情報、その放送番組に出演している人物のプロフィール、その放送番組内で紹介されている商品の情報、番組視聴率取得情報など、関連ある情報を予め付加するようにしてもよい。
【００７７】
データ保持有効期限を放送信号に予め付加した場合には、放送データを記録した後、有効期限がきた場合は、その記録データの再生ができなくなる、または、その記録データが自動削除されるように、することができる。
【００７８】
また、放送番組を撮影した地域情報を放送信号に付加した場合には、放送データを記録した後の再生時に、インターネットから取得したその地域の情報を同時に子画面などで表示したり、あるいは、ユーザの要求により、その地域関連のホームページに表示を切り替えたりすることが、可能になる。
【００７９】
また、出演者のプロフィールを放送信号に予め付加した場合には、放送データ記録した後の再生時に、付属のポインタなどを人物に合わせると、その人物のプロフィールを吹き出しのような形で表示することが、可能になる。
【００８０】
また、放送番組内で紹介されている商品情報を放送信号に予め付加した場合には、放送データを記録した後の再生時に、付属のポインタなどでを商品に合わせると、その商品の詳細な説明、違う角度からの画像などを参照することを可能にでき、更に、インターネット上で、その商品の購入を行うことも可能となる。
【００８１】
また、番組視聴率取得情報を放送信号に予め付加した場合には、放送データを記録した後の再生時に、番組視聴率取得情報を元に、インターネット等から番組放送時の視聴率を取得して、放送データの再生中の視聴率を合わせて表示させることが可能になる。また、記録媒体に記録済みの放送データに、番組視聴率取得情報を元にそれぞれの放送データの視聴率をインターネット等から取得して付加情報として付加しておき、これを元に記録媒体に格納中の放送データの重要度を把握することも可能となる。この重要度とは、視聴率が高いほど重要度が高い、つまり、多くの人が見るというこは多くの人が興味を持っていると解釈し、設定するというもので、このような重要度によっても、削除する際などの優先順位付けを行うことが可能となる。
【００８２】
また、視聴率情報は再生時に取得するのではなく、記録したものすべての視聴率を取得するよう、装置側で設定しておいてもよい。
【００８３】
一方、同時刻に放送されている複数の番組が録画予約されたらどうするかという問題もある。
【００８４】
現状の録画装置の「追っかけ再生機能」（番組を録画した状態のまま、録画を開始したシーンからすぐに再生できる機能）を参照すると、現状は同時に少なくとも２番組の録画が可能であると考えられる。
【００８５】
２番組までしか同時に録画できないという制限がある場合の処理は、以下のものがあり、このような処理をしてもよい。また、その時点でユーザに処理方法を選択させるようにしてもよい。
・録画予約可能数を超える段階で、「同時録画予約可能数オーバーの為、予約できません」などのエラーメッセージをモニタに表示し、録画予約しない。
・録画予約可能数を超えた場合、別途設定したサーバに録画予約するようにし、録画後自動又は任意でダウンロードする。
・　録画予約可能数を増やす為に、記録レートを下げる選択ができる（記録レートを下げることにより、画質は劣化するが同時録画数は増えると考えられる）。
【００８６】
ここで、本実施形態における、番組情報（図７）や番組関連情報（図６）の参照手法を、図１、４、５、６、７を用いて説明する。
【００８７】
放送中または再生中の番組中にある任意の番組予告ＣＭ、例えばここでは、２００２年６月６日２１時から放送中のドラマ「時の旅人」（図７の９１を参照）の中の、２１：５３：００に放送中の当該ドラマの次回予告ＣＭ（図５の３５を参照）を、選択設定したとする。この選択設定の操作は、例えば、上記のドラマの次回予告ＣＭがモニタ（図１の１５）に表示されているとき、予約ボタン（図４の２１）を押すことによってなされる。
【００８８】
予約ボタン（図４の２１）が押されると、制御部（図１の３）内のカウンタでカウントされた現在時刻（ここでは、２１：５３：００〜２１：５３：５９の間の時刻）が、制御部（図１の３）内に保持される。そして、この保持された時間情報を元に、データベース（図１の６）に格納されているＣＭ放送時間タイムテーブル（図５）を参照する。図５の中の２００２年６月６日２１：５３：００を参照すると、「ドラマ次回予告」であり、そのドラマ次回予告が指し示す番組情報が、図７の「１０２」である。番組情報（図７の「１０２」）の番組名、開始日時、終了日時、チャンネル番号から、予約部（図１の９）で録画予約の設定すると、予約完了の表示がモニタ（図１の１５）に表示される（例えば、図４中の表示２２）。
【００８９】
もし、受信中の放送信号（または、再生中の放送データ）に番組関連情報（図６）が付加されていた場合は、例えば番組関連情報（図６）の中の「○○番組制作会社のホームページアドレス」を、抽出部（図１の１６）で抽出し、抽出情報を元に制御部（図１の３）を経て、インターネット（図１の７）を参照し、番組情報（図７の「１０２」）を取得する。取得した番組情報に基づき、予約部（図１の９）は録画予約の設定をする。
【００９０】
ＣＭ放送時間タイムテーブルについて、ある日の２１時台のＣＭも含めたタイムテーブルの例である図５を用いて説明する。
【００９１】
まず、２１：００：００から企業のスポットＣＭ３１が流れ、その後、２１：０１：００から番組３２が始まる。番組の合間に他のスポットＣＭ３１が流れ、その中で、違う番組の番組予告ＣＭ３３、３４も流れる。番組の終わりに、その番組の次回予告３５が２１：５３：００から流れ、その後のスポットＣＭ３１の合間に、次番組予告３６も流れる。
【００９２】
本実施形態で番組録画予約に使用している、「番組予告ＣＭ」とは、３３、３４、３５、３６のことを指している。
【００９３】
また、番組関連情報の一例である図６では、番組情報が格納されているサイトのホームページアドレスリストが格納されている。これを元にインターネットにアクセスし、番組情報を取得する。
【００９４】
また、番組情報の一例である図７では、番組名、開始日時、終了日時、チャンネル番号の情報が入っている。その情報から予約設定が可能である。
【００９５】
他にも、ＣＭ放送時間タイムテーブル（図５参照）と番組情報（図７参照）が一緒になった情報を元に予約設定をしてもよい。
【００９６】
なお、以上説明した本実施形態の録画再生装置の処理機能は、このような処理機能を発現させるためのプログラムによって担われており、本願の対象とするのは、このプログラムそのものでもあっても、このプログラムを格納したコンピュータで読み取り可能な記録媒体であってもよいことは、いうまでもない。
【００９７】
本発明では、２４時間すべての放送を録画して蓄積しておくサーバなどとは違い、あえてユーザが指定したものを録画予約するようにしている。こうすることにより、ユーザの好みにより近づいた予約録画が可能であると考える。録画されたデータの中の番組予告ＣＭから自動予約することにおいても、その番組予告ＣＭが本放送と関連のある番組予告ＣＭであるという可能性が高いからである。こうすることにより、ユーザが欲しない番組データを録画するという無駄が少なくなると考えられる。
【００９８】
【発明の効果】
以上のように本発明によれば、放送中および再生中の番組予告ＣＭから、簡単な操作でＣＭが予告している番組の録画予約ができる。従って、放送映像または録画映像を視聴中に、ユーザが録画したいと望んだ番組を、簡単な操作で録画予約できるため、録画予約にかかっていたユーザの手間が緩和されると共に、録画映像の視聴中にも録画予約を行うことができるので、ユーザにとって大いに利便性が高まり、使い勝手も向上する。
【００９９】
また、再生中の番組予告ＣＭから録画予約をした場合において、その番組が既に放送済みではあるが、記録媒体に録画データとして格納されている場合には、格納されている録画データから検索した番組を、簡単・容易に再生させることが可能となる。
【０１００】
また、録画するデータ中にあるすべての番組予告ＣＭから、録画予約を行うことも可能であるので、見たい番組を見逃すことがなくなり、ユーザの満足度を高めることが可能となる。
【０１０１】
さらに、録画方法別に録画データにマーカーを付加することが可能であるため、記録媒体内に格納されている録画データの選別（例えば自動削除など）を容易に行うことができる。
【図面の簡単な説明】
【図１】本発明の一実施形態に係る録画再生装置の構成を示すブロック図である。
【図２】本発明の一実施形態において、放送中の番組予告ＣＭから録画予約をする場合の処理フローを示すフローチャートである。
【図３】本発明の一実施形態において、録画済みデータ中の番組予告ＣＭから録画予約をする場合の処理フローを示すフローチャートである。
【図４】本発明の一実施形態における、予約ボタンを用いた録画予約の様子を示す説明図である。
【図５】本発明の一実施形態で用いるＣＭ放送時間タイムテーブルの例を示す説明図である。
【図６】本発明の一実施形態で用いる番組関連情報の例を示す説明図である。
【図７】本発明の一実施形態で用いる番組情報の例を示す説明図である。
【図８】本発明の一実施形態における番組情報へのマーカー付加例を示す説明図である。
【図９】本発明の一実施形態において、記録媒体に録画されたデータ内にある全ての番組予告ＣＭから自動的に予約を行う場合の処理フローを示すフローチャートである。
【図１０】従来の録画再生装置の構成を示すブロック図である。
【符号の説明】
１　放送局
２　受信部
３　制御部
４　表示部
５　入力部
６　データベース
７　インターネット
８　情報取得部
９　予約部
１０　記録部
１１　記録媒体
１２　呼び出し部
１３　検索部
１４　合成部
１５　モニタ
１６　抽出部
１７　音声部
１８　スピーカ
２１　予約ボタン
２２　予約完了の表示
３１　スポットＣＭ
３２　番組
３３、３４　番組予告ＣＭ
３５　番組の次回予告
３６　次番組予告
７１、７２、８１、８２　番組予告ＣＭからの録画予約マーカー付加
７３、７８　連続録画マーカー付加
７４、７７、７９、８０　自動録画マーカー付加
７５　手動録画予約マーカー付加
７６　ジャンル別録画マーカー付加
９１〜１０２　番組情報例
【図１】
2004120408.tif 000003
【図２】
2004120408.tif 000004
【図３】
2004120408.tif 000005
【図４】
2004120408.tif 000006
【図５】
2004120408.tif 000007
【図６】
2004120408.tif 000008
【図７】
2004120408.tif 000009
【図８】
2004120408.tif 000010
【図９】
2004120408.tif 000011
【図１０】
2004120408.tif 000012